(57)【要約】      （修正有）【課題】エアコン室外機の節電手段として、特殊セラミック塗料を付着させた節電シートを考案した。【解決手段】特殊セラミック塗料を付着した節電シートを事前に製作し、既設のエアコンを対象に現場で、当該節電シートをエアコン室外機筐体パネルの内部側に貼り付けたことを特徴とする節電性能に優れた室外機分離型エアコンを提供する。【選択図】図１
2015152250.tif 000002
【特許請求の範囲】
【請求項１】
室内機と室外機とを分離して設置されている既設の室外機分離型エアコンにおいて、室外機の筐体パネルを分解して、その内側、天板パネル、底面板パネル、吹出し面パネル、仕切り板パネル等に特殊セラミック塗料を塗布したシートを貼り付けたことを特徴とする室外機分離型エアコン。
【発明の詳細な説明】
【技術分野】
【０００１】
本発明は、室内機と室外機を分離して設置されている既設の分離型エアコンの室外機筐体パネルの内部、内側に特殊セラミック塗料を塗布した特殊シート（以下、節電シートと言う）を貼り付けることを考案した。当該節電シートにより節電性能に優れた分離型エアコンの提供が可能となる。
【背景技術】
【０００２】
我が国の夏季気候は、高温、多湿で、建築物へのエアコンの設置は必須である。
特にビル・工場への夏季の日射量は大きく、建物に浸入した熱量をエアコンで、屋外に排出することは、快適空間の確保・健康リスクへの対応から、重要である。
同時に、夏季における冷房負荷の軽減は、東日本大震災に伴い発生した原子力発電の事故により、夏季には、特段のピークカットが求められており、夏場の節電は、国民的課題と言っても差し支えない喫緊の問題である。
【０００３】
前記の課題の解決策として、工場等では電力のデマンド監視装置を導入して、エアコン
の稼働を強制的に停止するなど各種の省エネルギー策を採用、「エネルギー使用の合理化
に関する法律」並びに「電気事業法」等の規制に対応している環境がある。
【０００４】
近年、省エネルギー手段の一つとして、特殊セラミック塗料（以下、遮熱塗料という）を工場等の屋根、特にトタン屋根が多い生産工場で採用され、普及が進んでいる。
【０００５】
前記した遮熱塗料の実績から、遮熱塗料の応用事例としてエアコン室外機の外側に遮熱塗料を塗布することによるエアコンの節電効果は容易に類推できる。
【０００６】
発明者らは、前述した遮熱塗料を既設のエアコン室外機の外側に塗布する試験を行い、この効果を検証する検査方法を考案、電力使用量データを収集、考案した当該検査方法の特許を既に出願（特許文献１、特願2013-197051）している。
【０００７】
上記の検査過程において、室外機の外側への遮熱塗料の塗装には、次の課題があること
が明らかとなった。
課題１：遮熱塗装には、最低２回塗りの工程が必要である。２回塗り工程において１回目の塗料が乾くまでに１日程度の時間の猶予が必要である。
課題２：室外機筐体パネルの外側への塗装には、熟練者でないときれいに塗装を仕上げられない。また、遮熱塗料は、従来の樹脂性塗料に比べて艶がないので、美観が損ねるという欠点がある。
課題３：室外機筐体パネルの外側への遮熱塗装では、雨天時には節電効果がない。
【０００８】
上記した課題を解決する先行特許を調査したところ、特許文献１に加えて次の特許文献
２及び特許文献３がある。
【０００９】
特許文献２及び特許文献３記載の遮熱塗料の使用方法は、それぞれ対象物件が、航空機の空調機及び情報通信用地上基地の空調機等への省エネ課題解決手段の提供であり、いずれの場合も、遮熱塗料を物件の外側に直接塗装することにより解決するものである。
したがって、発明者らが考案した当該特許とは、対象及び手法が全く異なるものである。
【先行技術文献】
【特許文献】
【００１０】
【特許文献１】特願２０１３−１９７０５１号公報
【特許文献２】特開２００５―０００８２１号公報
【特許文献３】特開２００３―１９４４２０号公報
【発明の概要】
【発明が解決しようとする課題】
【００１１】
本発明が解決する課題は、前記した課題１〜３である。
【課題を解決するための手段】
【００１２】
本発明は、前記の課題に鑑みてなされたもので、請求項１に記載の発明は、遮熱塗料を塗布した節電シートを考案し、事前に当該節電シートを製作する。現場において当該節電シートをエアコン室外機の筐体パネルを分解して、筐体パネルの内側に貼り付けることを特徴にしている。
【発明の効果】
【００１３】
本発明では、事前に節電シートを製作することを特徴にしている。したがって、現場では、室外機の筐体パネルを分解して、それに節電シートを貼り付ける工事を行う。
【００１４】
このようにすることにより、前記した課題１〜３を解決して、節電性能に優れた分離型エアコンを提供する効果がある。すなわち、次の特徴１〜４を有する室外機分離型エアコンの提供である。
特徴１：現場での２回塗り塗装に必要な乾燥時間を必要としない工事工程となっているので、エアコン１台当たり、２日間必要であった工事が、半日程度の工事で完了することができる。
特徴２：直接、現場の室外機に塗装するには、養生作業を含めて、塗装技術の訓練が必要である。節電シートを室外機の内側に貼り付けるには、塗装技術に比べると技術訓練の所要時間は少ない。また、筐体パネルの内側に貼り付けるので、美観への配慮も軽減できる。
特徴３：外側への塗装では、雨天時には節電効果が得られないが、内側へ節電シートを貼り付けることにより、雨天時でも節電の効果を持続している事実がある。
特徴４：事前に節電シートを工場で製作するので、塗装膜を均一に製作できるので、作業者の技量による節電性能のバラツキも少ない。
【図面の簡単な説明】
【００１５】
【図１】図１は、本発明の室外機分離型エアコンの構成を示す説明図である。
【図２】図２は、図１の室外機に貼り付けた節電シートの断面図である。
【図３】図３は、筐体パネルの内側に節電シートを貼り付け、外側に節電塗料を塗装した場合の節電効果を検証したデータ（グラフ）である。なお、グラフ上の２０１３年１２月１８日、１９日、２０日の３日間は連続して終日雨天であった。
【図４】図４は、室外機の外形図、鳥瞰図である。
【発明を実施するための形態】
【００１６】
本発明の詳細を以下、図１〜図４により記述する。
図１は、本発明の構成を説明する図並びにエアコンの原理を説明する図である。
室外機分離型エアコンは、図１に示すように、室外機１と室内機２が分離したシステム構成で、両方をガスパイプ３と液パイプ４で接続、パイプの中を流れる冷媒（フロンガス、フロン液）により熱交換器５及び熱交換器６を介して熱量の移動を行っている。室外機１には、熱交換器５と圧縮機６を備え、室内機２には、熱交換器７と膨張弁８を備えている。
【００１７】
室外機の筐体パネル９の内側には、考案した節電シート１０を貼り付けてある。
【００１８】
図２は、考案した節電シート１０の構成を説明する断面図である。
１１は、塩化ビニール製のフィルム状シート基材、約３０ｃｍ×３０ｃｍの正方形程度の大きさである。そのフィルム状シート基材１１の表面には遮熱塗料１２を一面に同じ厚さで塗布してある。
フィルム状シート基材１１と遮熱塗料１２の間には密着性を良くするためにプライマー１３を塗布してある。
また、フィルム状シート基材１１の裏面には接着剤１４を塗布してある。さらに、接着剤１４には、持ち運びを円滑にするために剥離シート１５を貼り付けてある。
節電シートのサイズは、室外機筐体パネル９の大きさ及び貼付け作業等に対応して、１ｍ×１ｍの面積あるいは１０ｃｍ幅で長さ３ｍ程度のロール等任意に製作できる。
【００１９】
室外機筐体パネル９を分解して、図２の節電シート１０を室外機筐体パネルの内側面に、現場で貼り付けることにより、節電効果を発揮する。
【００２０】
図３は、２０１３年１２月１６日〜２１日の６日間、食品工場での比較試験のデータである。
すなわち、室外機筐体パネルの外側に遮熱塗料を塗装、内側に節電シートを貼り付けた場合の室外機（Ｄ室用）と節電の加工作業のない室外機（Ｃ室用）との１日の電力量（縦軸、単位ワット）の比較である。
節電シートのある室外機は、６日間の平均で１３％（１−ｐｄ/ｐｃ）の節電効果を連続して発揮している。
２０１３年１２月１８日、１９日、２０日の３日間は連続して雨天、試験場所（千葉県鎌ヶ谷市）は終日雨であった。その間の節電データは、１３％、１３％、１４％と晴天（１６日、１７日、２１日）と変わらないデータを得た。
また、先行して計画した室外機の外側に遮熱塗料を塗装した試験（内側には節電シートなし）では、雨天の場合は、節電効果を計測できなかった。
【００２１】
なお、これらの比較試験の検査施設の詳細は、特許文献１に示したものと同じである。
【００２２】
図４は、室外機の外形図を示す鳥瞰図である。図４において、２１は天板パネル、２２
は吹出し面パネル、２３は底面板パネル、２４は仕切り板パネルである。これらの各々の
パネルの内側面に節電シート１０を貼り付ける。このようにすることにより、図３に示し
た節電効果を発揮する。
【産業上の利用可能性】
【００２３】
本発明は、空冷式のパッケージ型エアコンの室内機を対象に実施したが、比較的大型の水冷式空調機の室外機、クーリングタワーあるいは金属加工のマシニング装置で使用している潤滑油の冷却装置、オイルコンデンサーの筐体パネルにも適用できる。
さらに、同様な手法は、エアコン室内機のパネル内側にも適用可能である。
【００２４】
なお、本発明の対象物件を既設の室外機分離型エアコンを対象に説明しているが、もちろん工場生産の新品商品にも適用できる。
【符号の説明】
【００２５】
１      室外機分離型エアコンの室外機
２      室外機分離型エアコンの室内機
３      ガスパイプ
４      液パイプ
５      室外機の熱交換器
６      室外機の圧縮機
７      室内機の熱交換器
８      膨張弁
９      室外機筐体パネル
１０    考案した節電シート
１１    フィルム状シート基材
１２    遮熱塗料（特殊セラミック塗料）
１３    プライマー
１４    接着剤
１５    剥離シート
Ｐｃ    室外機Ｃの電力量（1日の平均値、遮熱塗料なし、縦軸は電力ワット）
Ｐｄ    室外機Ｄの電力量（1日の平均値、遮熱塗料あり、縦軸は電力ワット）
２１    天板パネル
２２    吹出し面パネル
２３    底面板パネル
２４    仕切り板パネル
【図１】
2015152250.tif 000003
【図２】
2015152250.tif 000004
【図３】
2015152250.tif 000005
【図４】
2015152250.tif 000006
【手続補正書】
【提出日】平成27年6月18日(2015.6.18)
【手続補正１】
【補正対象書類名】特許請求の範囲
【補正対象項目名】全文
【補正方法】変更
【補正の内容】
【特許請求の範囲】
【請求項１】
室内機と室外機とが分離された室外機分離型エアコンにおいて、
前記室外機の天板パネルまたは底面板パネルまたは吹き出し面パネルまたは仕切り板パネルの少なくともいずれか一つの内側または外側に貼付された遮熱塗料塗布シートを備えることを特徴とする室外機分離型エアコン。
【請求項２】
室内機と室外機とが分離されて設置されている既設の室外機分離型エアコンの節電対策方法において、前記室外機の天板パネルまたは底面板パネルまたは吹き出し面パネルまたは仕切り板パネルの少なくともいずれか一つに、遮熱塗料が塗布されたシートを貼付可能なように、前記室外機を分解する工程と、前記室外機の前記天板パネルまたは前記底面板パネルまたは前記吹き出し面パネルまたは前記仕切り板パネルの前記少なくともいずれか一つの内側または外側に、前記遮熱塗料が塗布されたシートを貼付する工程と、を有する
ことを特徴とする室外機分離型エアコンの節電対策方法。